(57)【要約】      （修正有）【課題】画像形成装置が通常の稼働状態でないときの環境変化に伴ってタッチパネル内部に結露が生じるのを防止し，液晶表示装置の視認性の不良やタッチパネルの操作性の不良の発生を抑制すること。【解決手段】画像形成装置は，液晶表示装置３２とタッチパネル４０を含む入力操作部３０を備える。また稼働状態設定部（制御部６０及び副電源ＳＷを含んで構成される）を備える。稼働状態設定部は，電源部が入力操作部３０及び画像形成部２に電力を供給する第１の状態（通常稼働状態），及び，電源部が画像形成部２に電力を供給せず入力操作部３０のうち少なくとも液晶表示装置３２に電力を供給する第２の状態（特別休止状態）を含む複数の稼働状態の中から一つの稼働状態を設定する。第２の状態に設定されているとき，バックライト制御部６２は液晶表示装置３２のバックライト３６を通電する。【選択図】図９
2013186327.tif 000002
【特許請求の範囲】
【請求項１】
使用者が操作可能な入力操作部と，
前記入力操作部に入力された指示に基づき用紙に画像を形成する画像形成部と，
少なくとも前記入力操作部及び前記画像形成部に電力を供給する電源部と，を備え，
前記入力操作部は，
表示画面が形成された液晶パネルと，該液晶パネルを照射するバックライトとを有する液晶表示装置と，
前記液晶表示装置の表示画面側に装着されるタッチパネルと，を備え，
前記タッチパネルは，上導電層と，該上導電層と間隔を置いて対向配置される下導電層とを有し，前記両導電層の接触により接触位置を指標する信号を出力するよう構成されたものである画像形成装置であって，
前記電源部が前記入力操作部及び前記画像形成部に電力を供給する第１の状態，及び，前記電源部が前記画像形成部に電力を供給せず前記入力操作部のうち少なくとも前記液晶表示装置に電力を供給する第２の状態を含む複数の稼働状態の中から一つの稼働状態を設定する稼動状態設定部と，
前記バックライトの通電制御を行うバックライト制御部と，を備え，
前記バックライト制御部は，前記稼働状態設定部により前記第２の状態に設定されているとき，前記バックライトを通電させるものであることを特徴とする画像形成装置。
【請求項２】
前記表示画面の表示内容を制御する表示制御部を備え，
前記表示制御部は，前記稼働状態設定部により前記第２の状態に設定されているとき，前記第２の状態である旨を報知する表示内容を前記表示画面に表示するものであることを特徴とする請求項１に記載の画像形成装置。
【請求項３】
前記第２の状態中の前記バックライトの光量を制御する光量制御部を備えることを特徴とする請求項１又は２に記載の画像形成装置。
【請求項４】
時間情報を取得する計時部を備え，
前記計時部は，前記第２の状態に設定されてからの経過時間の情報又は現在時刻の情報を前記時間情報として取得するものであり，
前記バックライト制御部は，前記計時部により取得される時間情報に対応して定められた通電態様に従って，前記第２の状態中の前記バックライトへの通電の有無を制御するものであることを特徴とする請求項１乃至３のいずれか一項に記載の画像形成装置。
【請求項５】
時間情報を取得する計時部と，
前記計時部により取得される時間情報に対応して前記バックライトの光量が定められた時間光量テーブルを記憶する記憶部と，を備え，
前記計時部は，前記第２の状態に設定されてからの経過時間の情報又は現在時刻の情報を前記時間情報として取得するものであり，
前記光量制御部は，前記記憶部に記憶された前記時間光量テーブルに従って，前記第２の状態中の前記バックライトの光量を制御するものであることを特徴とする請求項３に記載の画像形成装置。
【請求項６】
機内温度を計測する温度計測部を備え，
前記バックライト制御部は，前記温度計測部により計測される機内温度に対応して定められた通電態様に従って，前記第２の状態中の前記バックライトへの通電の有無を制御するものであることを特徴とする請求項１乃至３のいずれか一項に記載の画像形成装置。
【請求項７】
機内温度を計測する温度計測部と，
前記温度計測部により計測される機内温度に対応して前記バックライトの光量が定められた温度光量テーブルを記憶する記憶部と，を備え，
前記光量制御部は，前記記憶部に記憶された前記温度光量テーブルに従って，前記第２の状態中の前記バックライトの光量を制御するものであることを特徴とする請求項３に記載の画像形成装置。
【請求項８】
当該画像形成装置へ供給された電力を前記画像形成部へ送る電流経路を開閉することなく，当該画像形成装置へ供給された電力を前記入力操作部へ送る電流経路（以下「入力操作部への電流経路」という）を開閉する継電部を備え，
前記稼働状態設定部は，前記第２の状態に設定しているとき，前記入力操作部への電流経路を閉じている状態に前記継電部を制御するものであることを特徴とする請求項１乃至７のいずれか一項に記載の画像形成装置。
【発明の詳細な説明】
【技術分野】
【０００１】
本発明は，画像形成装置に関し，詳しくは，液晶表示装置と該液晶表示装置の表示画面側に配されるタッチパネルを有する入力操作部を備えた画像形成装置に関する。
【背景技術】
【０００２】
近年の画像形成装置の入力操作部には，液晶表示装置の表示画面に光透過性のタッチパネルを配したものが採用されている。使用者はタッチパネルを透して表示画面に表示された文字や記号，絵柄などを視認する。そして使用者は，選択したい絵柄などが表示された箇所を押圧操作することにより，画像形成装置の各機能を切り替え操作する。ここで，タッチパネルは，上導電層と下導電層とを備えた二層構造となっている。そのため，上導電層と下導電層の間には間隙がある。従来より，この間隙内の空気が冷やされて，結露が生じることがあった。すなわち，高温高湿の状態で使用され，その後温度が下がると，タッチパネル内部に水滴が付着するという問題が生じることがあった。このような結露の問題が生じると，タッチパネル後方の液晶表示装置の表示画面が視認しづらくなってしまう。また，タッチパネルの上導電層と下導電層との電気的接離が不安定になってしまう。そこで，結露対策を考慮したタッチパネルとして，下記特許文献１に示すものが提案されている。
【０００３】
下記特許文献１に示すタッチパネルは，上導電層が形成された上基板と，下導電層が形成された下基板とを備えて構成される。また，このタッチパネルは，両基板の間隙を確保するためのドットスペーサー，両基板の外周部を貼り合わせる貼り合わせ材，及び，両基板の外周部に配される電極を備えている。これらドットスペーサー，張り合わせ材，及び，電極には，乾燥剤が配されている。したがって，このタッチパネルでは，乾燥剤の吸湿作用により結露の発生を抑制することができるとされている。
【先行技術文献】
【特許文献】
【０００４】
【特許文献１】特開２００６−２１５９４１号公報
【発明の概要】
【発明が解決しようとする課題】
【０００５】
しかしながら，上記のように乾燥剤を備えたタッチパネルを画像形成装置の入力操作部に組み込んだ場合であっても，結露を防止できないことが想定される。なぜなら，画像形成装置の設置環境は，医療機器のような精密機器と比べて，温度及び湿度が厳密に一定管理されている訳ではない。そのため，特に高湿となった室内で稼働していて夜間に稼働を停止し，室内温度が低下するといった使用環境が生じる。加えて，乾燥剤はいくらでも水分を吸収できるわけではなく，その吸湿作用には限界がある。従って，乾燥剤による吸湿作用では，タッチパネル内部に結露が生じることを避けられない場合が生じてしまうのである。
【０００６】
そこで本発明は，画像形成装置が通常の稼働状態でないときの環境変化に伴ってタッチパネル内部に結露が生じるのを防止し，液晶表示装置の視認性の不良やタッチパネルの操作性の不良の発生を抑制することを目的とする。
【課題を解決するための手段】
【０００７】
本発明の画像形成装置は，使用者が操作可能な入力操作部と，前記入力操作部に入力された指示に基づき用紙に画像を形成する画像形成部と，少なくとも前記入力操作部及び前記画像形成部に電力を供給する電源部と，を備える。前記入力操作部は，表示画面が形成された液晶パネルと，該液晶パネルを照射するバックライトとを有する液晶表示装置と，前記液晶表示装置の表示画面側に装着されるタッチパネルと，を備える。前記タッチパネルは，上導電層と，該上導電層と間隔を置いて対向配置される下導電層とを有し，前記両導電層の接触により接触位置を指標する信号を出力するよう構成されたものである。さらに画像形成装置は，前記電源部が前記入力操作部及び前記画像形成部に電力を供給する第１の状態，及び，前記電源部が前記画像形成部に電力を供給せず前記入力操作部のうち少なくとも前記液晶表示装置に電力を供給する第２の状態を含む複数の稼働状態の中から一つの稼働状態を設定する稼動状態設定部と，前記バックライトの通電制御を行うバックライト制御部と，を備える。そして前記バックライト制御部は，前記稼働状態設定部により前記第２の状態に設定されているとき，前記バックライトを通電させるものである。
【０００８】
本発明によれば，画像形成部に電力が供給される通常の稼働状態（第１の状態が相当する）でなくても，バックライトに通電される。よって，バックライトの発熱により，通常の稼働状態でないときのタッチパネルの表面温度を向上させることができる。したがって，タッチパネル内部に結露が生じるのを防止することができる。
【０００９】
ここで本発明の画像形成装置は，前記表示画面の表示内容を制御する表示制御部を備え，前記表示制御部は，前記稼働状態設定部により前記第２の状態に設定されているとき，前記第２の状態である旨を報知する表示内容を前記表示画面に表示するものである構成とすることが望ましい。このように構成すれば，画像形成装置の使用者に第２の状態である旨を報知することができる。また，結露抑制のためのバックライトの点灯を，画像表示に有効利用することができる。
【００１０】
また本発明の画像形成装置は，前記第２の状態中の前記バックライトの光量を制御する光量制御部を備える構成とすることが望ましい。このように構成すれば，バックライトの光量を変えることでバックライトの発熱温度を変えることができる。したがって，結露抑制に必要となる最低限度の光量でバックライトを点灯させることで，消費電力を抑えることができる。
【００１１】
また本発明の画像形成装置は，時間情報を取得する計時部を備え，前記計時部は，前記第２の状態に設定されてからの経過時間の情報又は現在時刻の情報を前記時間情報として取得するものであり，前記バックライト制御部は，前記計時部により取得される時間情報に対応して定められた通電態様に従って，前記第２の状態中の前記バックライトへの通電の有無を制御するものである構成とすることが望ましい。このように構成すれば，結露抑制に必要な時間だけバックライトを通電させるように通電態様を定めることにより，消費電力を抑えることができる。
【００１２】
また本発明の画像形成装置は，時間情報を取得する計時部と，前記計時部により取得される時間情報に対応して前記バックライトの光量が定められた時間光量テーブルを記憶する記憶部と，を備え，前記計時部は，前記第２の状態に設定されてからの経過時間の情報又は現在時刻の情報を前記時間情報として取得するものであり，前記光量制御部は，前記記憶部に記憶された前記時間光量テーブルに従って，前記第２の状態中の前記バックライトの光量を制御するものである構成とすることが望ましい。このように構成すれば，結露抑制に必要な光量でバックライトを点灯させるように時間光量テーブルを定めることにより，消費電力を抑えることができる。すなわち，結露抑制に必要なバックライトの光量を，第２の状態に設定されてからの経過時間又は現在時刻といった時間情報に基づいて確実に調整することができる。
【００１３】
また本発明の画像形成装置は，機内温度を計測する温度計測部を備え，前記バックライト制御部は，前記温度計測部により計測される機内温度に対応して定められた通電態様に従って，前記第２の状態中の前記バックライトへの通電の有無を制御するものである構成としてもよい。このように構成すれば，結露が生じ得る温度のときだけバックライトを通電させるように通電態様を定めることにより，消費電力を抑えることができる。
【００１４】
また本発明の画像形成装置は，機内温度を計測する温度計測部と，前記温度計測部により計測される機内温度に対応して前記バックライトの光量が定められた温度光量テーブルを記憶する記憶部と，を備え，前記光量制御部は，前記記憶部に記憶された前記温度光量テーブルに従って，前記第２の状態中の前記バックライトの光量を制御するものである構成としてもよい。このように構成すれば，結露抑制に必要な光量でバックライトを点灯させるように温度光量テーブルを定めることにより，消費電力を抑えることができる。すなわち，結露抑制に必要なバックライトの光量を，計測した温度に基づいて確実に調整することができる。
【００１５】
また本発明の画像形成装置は，当該画像形成装置へ供給された電力を前記画像形成部へ送る電流経路を開閉することなく，当該画像形成装置へ供給された電力を前記入力操作部へ送る電流経路（以下「入力操作部への電流経路」という）を開閉する継電部を備え，前記稼働状態設定部は，前記第２の状態に設定しているとき，前記入力操作部への電流経路を閉じている状態に前記継電部を制御するものである構成とすることが望ましい。このように構成すれば，継電部による電流経路の開閉により，画像形成部への電力供給に影響を与えることなく，入力操作部に対する電力供給のみを制御することができる。したがって，継電部を閉じることにより第２の状態に設定できる。
【発明の効果】
【００１６】
本発明の画像形成装置によれば，画像形成装置が通常の稼働状態（第１の状態）でないときの環境変化に伴ってタッチパネル内部に結露が生じるのを防止し，液晶表示装置の視認性の不良やタッチパネルの操作性の不良の発生を抑制することができる。
【図面の簡単な説明】
【００１７】
【図１】第１の形態に係る画像形成装置の構成を示す図である。
【図２】第１の形態の入力操作部の構成を示すブロック図である。
【図３】タッチパネルの構造を示す断面図である。
【図４】第１の形態の電力供給経路を示すブロック図である。
【図５】第１の形態の入力操作部および制御部の構成と，各部への電力供給の様子を示すブロック図である。
【図６】第１の形態の電源制御シーケンスを示すタイミングチャートである。
【図７】第１の形態で実行される結露抑制処理のフローチャートである。
【図８】第２の形態で実行される結露抑制処理のフローチャートである。
【図９】第３の形態の入力操作部および制御部の構成を示すブロック図である。
【図１０】第３の形態で実行される結露抑制処理のフローチャートである。
【図１１】第４の形態の入力操作部および制御部の構成を示すブロック図である。
【図１２】第４の形態および第５の形態で実行される結露抑制処理のフローチャートである。
【図１３】第５の形態の入力操作部および制御部の構成を示すブロック図である。
【発明を実施するための形態】
【００１８】
以下，本発明を具体化した実施の形態について，添付図面を参照しつつ詳細に説明する。本形態は，電子写真方式の画像形成装置において本発明を具体化したものである。
【００１９】
［第１の形態］
〈画像形成装置の構成〉
図１に，本形態の画像形成装置１の概略構成を示す。画像形成装置１は，いわゆるタンデム方式のカラープリンターである。画像形成装置１は，画像形成部２，入力操作部３０，制御部６０（図４参照），及び電源部８０（図４参照）を備えて構成される。入力操作部３０，制御部６０，及び電源部８０については後述する。画像形成部２は，中間転写ベルト７と，プロセスユニット７１とを備える。中間転写ベルト７は導電性を有する無端状のベルト部材である。中間転写ベルト７は，上端部２箇所をローラー２６，２７によって支持されている。中間転写ベルト７の下端部２箇所にも，ローラー２８，２９が配されている。画像形成時には，これらのローラー２６，２７，２８，２９が時計回りに回転駆動される。これにより，中間転写ベルト７が従動回転する。
【００２０】
プロセスユニット７１は，所定速度で移動する中間転写ベルト７のベルト表面に，所定濃度のトナー画像を形成するものである。プロセスユニット７１は，イエロー（Ｙ）色の画像を形成する画像形成ユニット１０Ｙと，マゼンタ（Ｍ）色の画像を形成する画像形成ユニット１０Ｍと，シアン（Ｃ）色の画像を形成する画像形成ユニット１０Ｃと，ブラック（Ｋ）色の画像を形成する画像形成ユニット１０Ｋとを備えている。
【００２１】
画像形成ユニット１０Ｙは，感光体ドラム３Ｙを有する。また，画像形成ユニット１０Ｙは，感光体ドラム３Ｙの周囲に配される帯電部４Ｙ，光書き込みユニット５Ｙ，現像装置６Ｙ，及びクリーニング部９Ｙを有している。他の画像形成ユニット１０Ｍ，１０Ｃ，１０Ｋも，画像形成ユニット１０Ｙと同様に構成される。すなわち，各画像形成ユニット１０Ｍ，１０Ｃ，１０Ｋは，図１に示すように，それぞれ，感光体ドラム３Ｍ，３Ｃ，３Ｋと，この感光体ドラム３Ｍ，３Ｃ，３Ｋの周囲に配される帯電部４Ｍ，４Ｃ，４Ｋ，光書き込みユニット５Ｍ，５Ｃ，５Ｋ，現像装置６Ｍ，６Ｃ，６Ｋ，及びクリーニング部９Ｍ，９Ｃ，９Ｋを有している。以下，特に区別が必要な場合を除いて，Ｙ，Ｍ，Ｃ，Ｋの符号を付さずに表記する。
【００２２】
画像形成ユニット１０において，帯電部４は感光体ドラム３の表面を帯電させる。光書き込みユニット５は，帯電された感光体ドラム３を，作像色に応じた画像データに基づいて露光する。すなわち，感光体ドラム３には，レーザービーム光が１ライン毎にあてられ，画像データに基づく静電潜像が形成される。現像装置６は，この静電潜像を現像する。これにより，感光体ドラム３に，可視画像であるトナー画像が形成される。
【００２３】
このようにして，感光体ドラム３Ｙにはイエロー（Ｙ）色のトナー画像が，感光体ドラム３Ｍにはマゼンタ（Ｍ）色のトナー画像が，感光体ドラム３Ｃにはシアン（Ｃ）色のトナー画像が，感光体ドラム３Ｋにはブラック（Ｋ）色のトナー画像が形成される。感光体ドラム３に形成された各色のトナー画像は，各感光体ドラム３Ｙ，３Ｍ，３Ｃ，３Ｋに対応して設けられた一次転写ローラー８Ｙ，８Ｍ，８Ｃ，８Ｋにより，中間転写ベルト７に転写される。なおこれを「一次転写」という。
【００２４】
中間転写ベルト７に形成されたトナー画像は，複数のローラー２６，２７，２８，２９の回転に従って中間転写ベルト７が図１の時計方向に回転することで，二次転写部１１に向けて順次送られる。二次転写部１１は，中間転写ベルト７の図中下方に配されている。
【００２５】
また画像形成装置１は，用紙供給ユニット１５を備える。用紙供給ユニット１５は，複数種類のサイズの普通紙，薄紙，厚紙，及びコート紙等を収納する給紙トレイと，大容量の給紙装置（ＰＦＵ）を含んで構成されている。用紙供給ユニット１５により供給される用紙Ｐは，ループローラー２２及びレジストローラー２３を経て二次転写部１１に搬送される。
【００２６】
中間転写ベルト７に形成されたトナー画像は，二次転写部１１において，中間転写ベルト７から用紙Ｐに一括して転写される。なおこれを二次転写という。用紙搬送経路における二次転写部１１の下流側には，定着装置１７が設けられている。定着装置１７は，定着ヒーター１７ａ（図４参照）とニップローラー１７ｂとを備える。定着装置１７は，定着ヒーター１７ａ及びニップローラー１７ｂにより用紙Ｐを加熱しつつ加圧することによって，用紙Ｐに転写されたカラー画像の定着処理を行う。定着後の用紙は，排紙ローラー２４を経て排出される。なお，画像形成装置１は，片面印刷だけでなく，両面印刷が可能となっている。片面印刷時には，カラー画像定着後の用紙はそのまま排出される。両面印刷時には，カラー画像定着後の用紙の裏面にも画像が形成される。
【００２７】
感光体ドラム３の左下方に設けられたクリーニング部９は，一次転写後の感光体ドラム３に残留したトナー剤を除去する。また，中間転写ベルト７の左上方にもクリーニング部１２が設けられている。このクリーニング部１２は，二次転写後の中間転写ベルト７に残存する残留トナーを除去する。
【００２８】
図２は，画像形成装置１の入力操作部３０の構成を示している。入力操作部３０は，液晶モニター部３１と，テンキー部５０とを備えている。液晶モニター部３１は，液晶表示装置（ＬＣＤ）３２と，タッチパネル４０とを備えている。テンキー部５０は，印刷開始を指示するスタートキー，印刷停止を指示するストップキー，入力内容をリセットするリセットキー，印刷部数などの各種数値を入力するためのナンバーキー，機能選択のための選択キーなど，複数のハードキー５１から構成される。ユーザーは，タッチパネル４０とハードキー５１により各種設定等の入力操作を行う。
【００２９】
ユーザーによる各キー５１の押下操作は，各キー５１に備えられたスイッチ５１ａにより検知される。また，テンキー部５０には，入力制御用ＣＰＵ５６が設けられている。スイッチ５１ａからの検知信号は入力制御用ＣＰＵ５６に入力され処理される。また，スタートキー及びストップキーにはＬＥＤ５２からなる点灯部が設けられている。ＬＥＤ５２は，入力制御用ＣＰＵ５６により点灯制御される。例えばスタートキーに設けられたＬＥＤ５２は，青色に点灯制御されることにより，ユーザーに対して押下操作が可能であることを示す。また，赤色に点灯制御されることにより，ユーザーに対して押下操作が不可能であることを示す。このほか，テンキー部５０には，画像形成装置１の稼働状態を示すためのＬＥＤ（以下「稼働状態表示部５３」という）が設けられている。稼働状態表示部５３は，消灯，赤色点灯，青色点灯の三態様に点灯制御される。ここで，画像形成装置１には，主電源スイッチ６６と副電源スイッチ６７が設けられている（図４参照）。
【００３０】
主電源スイッチ６６がオフであるとき，稼働状態表示部５３は消灯状態にある。なお，主電源スイッチ６６がオフであるときの画像形成装置１の状態を「非稼働状態」という。また，主電源スイッチ６６がオンであり，かつ，副電源スイッチ６７がオフであるとき，稼働状態表示部５３は赤色点灯状態に制御される。主電源スイッチ６６がオンであり，かつ，副電源スイッチ６７がオフであるときの画像形成装置１の状態を「休止状態」という。休止状態には，後述するように，稼働状態表示部５３を除く入力操作部３０および画像形成部２に電力が供給されず制御部６０に電力が供給される「通常休止状態」と，画像形成部２に電力が供給されず制御部６０と入力操作部３０のうちの液晶表示装置３２とに電力が供給される「特別休止状態（第２の状態に相当する）」がある。また，主電源スイッチ６６がオンであり，かつ，副電源スイッチ６７がオンであるとき，稼働状態表示部５３は青色点灯状態に制御される。主電源スイッチ６６がオンであり，かつ，副電源スイッチ６７がオンであるときの画像形成装置１の状態を「通常稼働状態（第１の状態に相当する）」という。なお，この稼働状態表示部５３を点灯制御するのは，テンキー部５０に設けられた入力制御用ＣＰＵ５６ではなく，制御部６０に設けられたメインＣＰＵ６１である。
【００３１】
液晶表示装置３２は，液晶パネル（ＬＣＤパネル）３３と，液晶パネル３３を後方から照射するバックライト３６を備えている。液晶パネル３３は，ＴＦＴ（Thin Film Transistor）型の液晶パネルである。液晶パネル３３は，表示画面３４を有している。バックライト３６は，ＬＥＤを用いたものである。液晶表示装置３２の表示画面３４には，タッチパネル４０を利用した入力操作に必要なソフトキーが表示される。
【００３２】
タッチパネル４０は，液晶表示装置３２の表示画面３４側（ユーザーから見て手前側）に配置されている。タッチパネル４０は，位置入力機能を発揮するポインティングデバイス（位置入力装置）であり，抵抗膜方式とされている。具体的には，タッチパネル４０は，図３に示すように，抵抗膜４２が成膜されたフィルム４１と，抵抗膜４５が成膜されたガラス４４を備える。フィルム４１とガラス４４は一定の間隙を確保した状態で互いの抵抗膜４２，４５を内側にして対向配置されている。なお，このフィルム４１を，下面に上導電層（抵抗膜４２）が形成された光透過性の上基板ともいう。また，このガラス４４を，上面に下導電層（抵抗膜４５）が形成された光透過性の下基板ともいう。フィルム４１とガラス４４は，外周のみを貼り合わせ材４７で貼り付けられている。貼り合わせ材４７には，エポキシ系樹脂やシリコン系樹脂などの接粘着可能な絶縁材料が用いられる。また，タッチパネル４０は両抵抗膜４２，４５の接触により位置検出することから，無負荷時にフィルム４１が変形しても両抵抗膜４２，４５が接触しないようにする必要がある。そのため，両抵抗膜４２，４５の間にはドットスペーサー４８が設けられている。また，フィルム４１の左右両端およびガラス４４の上下両端には電極（図示省略）が設けられている。フィルム４１の左右両端の電極は，押下箇所のＸ座標を割り出すための電圧を印加する。ガラス４４の上下両端の電極は，押下箇所のＹ座標を割り出すための電圧を印加する。またタッチパネルには，図示しない配線部材が設けられている。両抵抗膜４２，４５の接触点の電位に基づく位置情報は，この図示しない配線部材を経由してテンキー部５０の入力制御用ＣＰＵ５６へ出力される。なお，実施形態の画像形成装置１が抑制することを目的としている結露の発生箇所は，両抵抗膜４２，４５の間の空間である。
【００３３】
このように構成されるタッチパネル４０と液晶表示装置３２を用いたユーザーによる入力操作は次のように行われる。まず，液晶表示装置３２の表示画面３４に複数のソフトキーがカラー表示される。ユーザーは，その表示箇所のタッチパネル４０を指またはペンで触れる。すると，触れた箇所により，検出される両抵抗膜４２，４５の接触点の電位が異なるので，タッチパネル４０は検出された電位に応じた位置情報をテンキー部５０の入力制御用ＣＰＵ５６に出力する（図２参照）。タッチパネル４０からの入力信号は，テンキー部５０の入力制御用ＣＰＵ５６により座標判断を処理される。すなわち，Ｘ方向およびＹ方向のいずれの座標にあるポイントが操作されたか判断される。なお，テンキー部５０の入力制御用ＣＰＵ５６は，制御部６０のメインＣＰＵ６１に対して通信可能に接続されている。また，液晶表示装置３２は，制御部６０に対して接続されている。
【００３４】
図４は，画像形成装置１における概略の電力供給経路を示す図である。図４に示すように，画像形成装置１は，電源部８０から，制御部６０，入力操作部３０，及び画像形成部２に電力供給可能となっている。また，画像形成装置１は，電源部８０に主電源ＳＷ（スイッチ）６６を備える。画像形成装置１は，室内に設置されて，コンセントに接続されて使用される。主電源ＳＷ６６がオンされると，画像形成装置１に入力された交流１００Ｖの電力は，ＤＣ電源部８１（すなわちＡＣ−ＤＣコンバータ８１）により動作規格に応じた電流値の電力に変換されて，制御部６０に供給される。制御部６０には，画像形成装置１全体を制御するメインＣＰＵ６１が設けられている。メインＣＰＵ６１には，副電源ＳＷ６７が接続されている。副電源ＳＷ６７がオンされると，副電源ＳＷ６７からの入力信号を受けたメインＣＰＵ６１は，電源部８０に設けられた第１リレー（継電部に相当する）６８を動作させる。第１リレー６８は，交流１００Ｖの電力をＡＣ−ＤＣコンバータ８１により変換して液晶表示装置３２へと供給する電力供給経路の途中に設けられている。より詳しくは，液晶表示装置３２への電力供給経路上においてＡＣ−ＤＣコンバータ８１の上流側に設けられている。メインＣＰＵ６１により，第１リレー６８の接点が閉じられると，入力操作部３０に設けられた液晶表示装置３２へ電力が供給される。ここで，第１リレー６８は，画像形成装置１に入力される交流電流を液晶表示装置３２へ供給する電力供給経路上に配置されており，制御部６０や画像形成部２への電力供給経路上には配置されていない。したがって，第１リレー６８を動作させることにより，制御部６０や画像形成部２への電力供給に影響を与えることなく，液晶表示装置３２への電力供給のみを制御することができる。
【００３５】
また，副電源ＳＷ６７がオンされると，副電源ＳＷ６７からの入力信号を受けたメインＣＰＵ６１は，ＤＣ電源部８１に対してメカコン電源制御信号を出力する。これにより，ＤＣ電源部８１から画像形成部２に対して電力が供給され，画像形成部２が稼働できるようになる。ここで，メインＣＰＵ６１は，画像形成部２に設けられたメカコン用ＣＰＵ２ａと通信可能に接続されている。メカコン用ＣＰＵ２ａは，メインＣＰＵ６１からの信号に基づいて，画像形成部２を構成する各部（プロセスユニット７１など）の動作を制御する。またメカコン用ＣＰＵ２ａは，第２リレー６９の動作を制御する。第２リレー６９は，交流１００Ｖの電力を定着ヒーター１７ａに供給する電力供給経路の途中に設けられている。メカコン用ＣＰＵ２ａにより第２リレー６９の接点が閉じられると，定着ヒーター１７ａに電力が供給される。
【００３６】
ここで，主電源ＳＷ６６がオンされることにより，制御部６０へ供給される電力を「電源１」と称する。電源１は，制御部６０だけでなく，図５に示すように，テンキー部５０に設けられた稼働状態表示部５３にも電力を供給する。また，副電源ＳＷ６７がオンされることにより，すなわち第１リレー６８の接点が閉じられることにより，入力操作部３０の液晶表示装置３２へ供給される電力を「電源２」と称する。電源２は，図５に示すように，液晶表示装置３２のバックライト３６およびＬＣＤパネル３３に電力を供給する。また，電源２が供給されているときには，図５に示すように，制御部６０に設けられているバックライト制御部６２および表示制御部６３にも電力が供給される。バックライト制御部６２および表示制御部６３については後述する。また，制御部６０のメインＣＰＵ６１からメカコン電源制御信号が出力されることにより，画像形成部２へ供給される電源を「電源３」と称する。電源３は，画像形成部２だけでなく，図５に示すように，テンキー部５０に設けられた入力制御用ＣＰＵ５６にも電力を供給する。
【００３７】
図５は，入力操作部３０および制御部６０の概略ブロック図である。図５に示すように，制御部６０は，メインＣＰＵ６１のほか，バックライト制御部６２，及び表示制御部６３を備えている。バックライト制御部６２は，バックライト３６への通電制御を行って，バックライト３６の点灯・消灯を制御する。また，表示制御部６３は，ＬＣＤパネル３３の表示画面３４の表示内容を制御する。具体的には，表示制御部６３は，表示内容に応じた表示データをＬＣＤパネル３３に出力する。これにより，ＬＣＤパネル３３には，出力された表示データに基づく表示内容が表示される。なお，バックライト制御部６２および表示制御部６３は，便宜上図５においてはメインＣＰＵ６１と分けて記載したが，メインＣＰＵ６１を含んで構成されるものである。
【００３８】
図６は，画像形成装置１における電源制御シーケンスをまとめたタイミングチャートである。図６に示すように，主電源ＳＷ６６をオンすると電源１が供給される。また副電源ＳＷ６７をオンするとメインＣＰＵ６１からリレー制御信号が出力される。これにより第１リレー６８の接点が閉じられるため，電源２が供給される。また，副電源ＳＷ６７のオンを受けてメインＣＰＵ６１は，メカコン電源制御信号を出力する。これにより，電源３が供給される。この状態は，上述した通常稼働状態（第１の状態）に相当する。
【００３９】
通常稼働状態から，副電源ＳＷ６７がオフされると，図６に破線で示すようにリレー制御信号の出力が停止する。これにより第１リレー６８の接点が開くため，電源２の供給が停止する。また，副電源ＳＷ６７がオフされると，メカコン電源制御信号の出力が停止する。これにより，電源３の供給が停止する。なお，この状態は，上述の休止状態のうち通常休止状態に相当する。
【００４０】
ここで，実施形態の画像形成装置１は，通常稼働状態から副電源ＳＷ６７をオフしたときにリレー制御信号の出力を停止する通常休止状態のほか，通常稼働状態から副電源ＳＷ６７をオフしてもリレー制御信号の出力を継続する特別休止状態（第２の状態）をとることができる。副電源ＳＷ６７をオフしたときに通常休止状態にするか特別休止状態にするかの設定は，ユーザーによる入力操作部３０の操作により行う。特別休止状態にするよう設定されている場合，副電源ＳＷ６７がオフされても，図６に実線で示すようにリレー制御信号の出力は継続され，メカコン電源制御信号の出力のみが停止される。したがって，図６に実線で示すように電源２の供給は継続され，電源３の供給が停止する。このように，画像形成部２に電力が供給されないが液晶表示装置３２へ電力が供給される特別休止状態を設けたのは，後述するように，バックライト３６へ通電することによりタッチパネル４０周辺の温度低下を防ぐためである。なお，以下，特別休止状態に設定することを，結露抑制機能をオンするとも表現する。また，副電源ＳＷ６７をオフしたときに特別休止状態になるように設定することを，結露抑制機能を選択するとも表現する。
【００４１】
〈画像形成装置の動作〉
次に図７に示すフローチャートに基づいて，通常稼働状態から特別休止状態に切り換えられた場合の画像形成装置１の動作について説明する。画像形成装置１は，特別休止状態に切り替えられた場合，以下のような結露抑制処理を行う。なお本明細書中，結露抑制処理が行われる特別休止状態のことを結露抑制モードともいう。
【００４２】
〔結露抑制処理〕制御部６０は，副電源がオフされると（ステップＳ００１），結露抑制機能が選択されているか否か判定する（Ｓ００２）。選択されていない場合（Ｓ００２：Ｎｏ），図６に一部破線で示す結露抑制機能非選択時の電源制御シーケンスに従って動作する（Ｓ００３）。すなわち，リレー制御信号の出力を停止し，電源２の供給を停止する。さらに，メカコン電源制御信号の出力を停止し，電源３の供給を停止する。これにより，画像形成装置１は，上述の通常休止状態となる（Ｓ００４）。
【００４３】
一方，結露抑制機能が選択されている場合（Ｓ００２：Ｙｅｓ），図６に実線で示す結露抑制機能選択時の電源制御シーケンスに従って動作する（Ｓ００５）。すなわち，リレー制御信号の出力は継続し，電源２の供給を継続する。但し，メカコン電源制御信号の出力は停止し，電源３の供給を停止する。これにより，画像形成装置１は，上述の特別休止状態となる。
【００４４】
特別休止状態になったのち，制御部６０は，稼働状態表示部５３（図２参照）を赤色に点灯させる（Ｓ００６）。これにより，ユーザーに対して結露抑制機能が働く特別休止状態にあることを報知する。続いて，表示制御部６３がＬＣＤパネル３３への表示データをセットする（Ｓ００７）。この実施形態では，表示データは，黒一面画像をＬＣＤパネル３３に表示するためのデータとなっている。ステップＳ００７ではさらに，バックライト制御部６２がバックライト３６を通電し点灯させる。これにより，ＬＣＤパネル３３の表示画面３４が黒一面となる。
【００４５】
続いて制御部６０は，副電源ＳＷ６７がオンされたか否かを判定する（Ｓ００８）。オンされていない場合は（Ｓ００８：Ｎｏ），上記ステップＳ００６及びＳ００７を繰り返し実行する。一方，副電源ＳＷ６７がオンされた場合は，図６の電源制御シーケンスに示す通り，メカコン電源制御信号を出力し，電源３の供給を行う。これにより，画像形成装置１は，上述の通常稼働状態になる（Ｓ００９）。
【００４６】
このように画像形成装置１は，結露抑制機能が働く特別休止状態に設定されたとき，バックライト３６を点灯させる。これにより，タッチパネル４０の表面温度を向上させることができる。そのため，画像形成部２の稼働を停止させたあとでも，タッチパネル４０内部に結露が生じるのを防止することができる。従って，結露を原因とする液晶表示装置３２の視認性の不良やタッチパネル４０の操作性の不良の発生を抑制することができる。特に商業印刷に用いられる画像形成装置１においてタッチパネル４０が操作不能となると，ユーザーに与える損害は大きい。実施形態の画像形成装置１は，タッチパネル４０の安定使用に寄与するので，このような損害の発生を効果的に防止できる。なお，バックライト３６はＬＥＤを用いたものであり，白熱電球を用いたものより発熱量は少ないが，結露防止のための発熱量としては十分である。
【００４７】
また，この画像形成装置１は，バックライト３６の点灯により結露を防止する。そのため，タッチパネル４０の操作性に支障をきたさない。すなわち，タッチパネル４０における結露対策として，ドットスペーサー４８の数を増やすことにより上導電層４２と下導電層４５との張り付きを防止する技術では，入力荷重が重くなり軽快な操作性が阻害されることがあった。しかし実施形態の画像形成装置１では，良好な操作性を維持することができる。
【００４８】
また，この画像形成装置１は，画像形成部２に電力を供給せずに入力操作部３０に電力を供給する。そのため，従来から存在する低電力モードと比べて，電力消費を抑えつつ結露防止機能を発揮することができる。低電力モードとは，素早く再稼働できるように定着ヒーター１７ａを低電力でスタンバイさせておくモードである。低電力モードでは，入力操作部３０も画像形成部２も通電されており，実施形態の特別休止状態と比べて，消費電力が大きい。
【００４９】
また，この画像形成装置１は，タッチ入力に当然必要となる液晶表示装置３２のバックライト３６を利用してタッチパネル４０の結露を防止している。したがって，別途，加熱部や除湿部をタッチパネル４０に配置することにより結露を防止するものに比べてコストを抑えることができる。また，タッチパネル４０の構造を複雑にすることもない。さらに，別途，構成（乾燥剤など）を加えて除湿作用を発揮させるものと比べると，加えた構成の性能に依存することがない分，どのような環境下であっても結露抑制機能を発揮することができる。例えば，乾燥剤を用いた場合には乾燥剤が吸湿により飽和してしまい結露抑制機能を発揮できないことがあったが，実施形態ではこのような不具合は生じない。
【００５０】
［第２の形態］
第２の形態について説明する。本形態に係る画像形成装置１の構成や，その通常稼働状態における動作は，第１の形態と同じである。本形態は，結露抑制機能が働く特別休止状態に設定されたときの制御が，第１の形態と異なる。すなわち，第１の形態では，稼働状態表示部５３を赤色に点灯させ，かつ，ＬＣＤパネル３３の表示画面３４を黒一面とした。これに対し，本形態においては，稼働状態表示部５３を点灯させることなく，ＬＣＤパネル３３の表示画面３４に「結露抑制モード中」の文字を表示する。
【００５１】
本形態において，特別休止状態に切り換えられた場合の画像形成装置１の動作を，図８のフローチャートに基づいて説明する。図８に示すステップＳ１０１〜Ｓ１０５は，図７に示すステップＳ００１〜Ｓ００５と同様の処理である。また，図８に示すステップＳ１０７，Ｓ１０８は，図７に示すステップＳ００８，Ｓ００９と同様の処理である。
【００５２】
第２の形態の画像形成装置では，制御部６０は，特別休止状態になったのち（Ｓ１０５），ＬＣＤパネル３３の表示画面３４に「結露抑制モード中」の文字を表示する（Ｓ１０６）。すなわち，表示制御部６３が「結露抑制モード中」の文字を表示するための表示データをセットする。また，バックライト制御部６２がバックライト３６を点灯する。これにより，ＬＣＤパネル３３の表示画面３４に，「結露抑制モード中」の文字が表示される。そのため，ユーザーに対して結露抑制機能が働いていることを報知することができる。加えて，結露抑制のためのバックライト３６の点灯を，文字表示による情報提示に有効利用することにもなる。
【００５３】
なお，本形態では，稼働状態表示部５３を赤色に点灯させる処理を行わない（図７に示すステップＳ００６の処理を行わない）。これは，本実施形態ではＬＣＤパネル３３の表示にてユーザーへの報知が可能であるため，稼働状態表示部５３による表示を必要としないからである。但し，稼働状態表示部５３による表示を行ってもよい。
【００５４】
［第３の形態］
第３の形態について説明する。本形態において第１の形態と同様の構成については同一の符号を付して説明を省略する。本形態に係る画像形成装置の構成は，図９に示すように，バックライト制御部６２が光量制御部６４を備えている点で第１の形態と異なる。光量制御部６４は，バックライト３６の光量を制御する。具体的には，光量制御部６４は，ＰＷＭ制御（pulse  width  modulation制御）を行うことにより，バックライト３６を構成するＬＥＤに流す電流を調整する。ＬＥＤに流す電流を多くすれば，バックライト３６の明るさは増大する。逆に，ＬＥＤに流れる電流を少なくすれば，バックライト３６の明るさは減少する。
【００５５】
また本形態に係る画像形成装置の動作は，通常稼働状態においては第１の形態と同じである。但し本形態は，結露抑制機能が働く特別休止状態に設定されたときの制御が，第１の形態と異なる。すなわち，第１の形態では，バックライト３６を点灯させるに際してバックライト３６の光量を調整する機能を備えていなかった。これに対し，本形態においては，バックライト３６の光量を調整することが可能となっている。
【００５６】
本形態において，特別休止状態に切り換えられた場合の画像形成装置１の動作を，図１０のフローチャートに基づいて説明する。図１０に示すステップＳ２０１〜Ｓ２０６は，図７に示すステップＳ００１〜Ｓ００６と同様の処理である。また，図１０に示すステップＳ２０８，Ｓ２０９は，図７に示すステップＳ００８，Ｓ００９と同様の処理である。
【００５７】
第３の形態の画像形成装置では，制御部６０は，特別休止状態になったのち（Ｓ２０５），稼働状態表示部５３を赤色に点灯させる（Ｓ２０６）。これにより，ユーザーに対して結露抑制機能が働いていることを報知する。続いて，表示制御部６３がＬＣＤパネル３３への表示データをセットする（Ｓ２０７）。この実施形態では第１の形態と同様，表示データは，黒一面画像をＬＣＤパネル３３に表示するためのデータとなっている。ステップＳ２０７ではさらに，光量制御部６４がバックライト３６を点灯させる際の光量を調整する（バックライト３６の輝度を設定する）。そして，バックライト制御部６２が，光量制御部６４により設定された輝度でバックライト３６を点灯する。これにより，ＬＣＤパネル３３の表示画面３４に，黒一面画像が，設定された光量で表示される。ここで，バックライト３６を点灯させる際の光量は，予めユーザーが入力操作部３０を操作することにより設定する。
【００５８】
このように第３の形態の画像形成装置は，結露抑制モードにおけるバックライト３６の光量を変えることでバックライト３６の発熱量を変えることができる。したがって，結露抑制に必要となる最低限度の光量でバックライト３６を点灯させることで，消費電力を抑えることができる。例えば，結露が生じやすい冬であっても，画像形成装置１を設置した場所の温度が他の日と比べて高いときには，予めユーザーが入力操作部３０を操作することにより少ない光量でバックライト３６を点灯させるようにする。
【００５９】
［第４の形態］
第４の形態について説明する。本形態において第３の形態と同様の構成については同一の符号を付して説明を省略する。本形態に係る画像形成装置では，制御部６０は，時間情報を取得する計時部を備えている。実施形態では計時部は，図１１に示すように，メインＣＰＵ６１に付設されたＲＴＣ（リアルタイムクロック）７４を含んで構成される。ＲＴＣ７４は，現在時刻を測るものである。計時部は，ＲＴＣ７４により計測された現在時刻の情報に基づいて，特別休止状態（結露抑制モード）に設定されてからの経過時間を計測する。なお，計時部は，結露抑制モードに設定されてからの経過時間を計測することができれば，ＲＴＣ７４を含む構成としなくても，後述するＲＯＭ７６に記憶された時間計測のためのプログラムをメインＣＰＵ６１が実行する構成など，他の構成を採用してもよい。例えば，メインＣＰＵ６１の動作クロック周波数と，特別休止状態に設定されてからカウントするクロック数とに基づき経過時間を計測するプログラムをメインＣＰＵ６１が実行する構成や，タイマ割込処理の割込周期と実行回数とに基づき経過時間を計測するプログラムをメインＣＰＵ６１が実行する構成などを採用してもよい。
【００６０】
また，メインＣＰＵ６１には，プログラムを格納したＲＯＭ（記憶部に相当する）７６とそのプログラムの実行エリアとなるＲＡＭ７５とが付設されている。ＲＯＭ７６には，経過時間光量テーブル７７が記憶されている。経過時間光量テーブル７７は，計時部により計測された経過時間と，バックライト３６の光量との対応付けが示されたテーブルである。経過時間光量テーブル７７では，経過時間が増えるほど，バックライト３６の光量が増大するように，すなわちバックライト３６の輝度が増大するように，経過時間と光量とが対応付けられている。光量制御部６４は，この経過時間光量テーブル７７に従ってバックライト３６の光量を調整する。これにより，ユーザーが副電源ＳＷ６７をオフした直後ではなく，深夜，明け方と画像形成装置１の設置場所の温度が低くなるにつれて，バックライト３６の光量を増大させることができる。すなわち，ユーザーが副電源ＳＷ６７をオフした直後から最大の光量でバックライト３６を点灯させ続ける場合に比べて消費電力を抑えることができる。
【００６１】
また本形態に係る画像形成装置の動作は，通常稼働状態においては第３の形態と同じである。但し本形態は，結露抑制機能が働く特別休止状態に設定されたときの制御が，第３の形態と異なる。すなわち，第３の形態は，バックライト３６の光量をユーザーが予め設定する構成であった。これに対し，本形態では，バックライト３６の光量を，経過時間光量テーブル７７に基づいて制御部６０が自動で調整する構成となっている。
【００６２】
本形態において，特別休止状態に切り換えられた場合の画像形成装置１の動作を，図１２のフローチャートに基づいて説明する。図１２に示すステップＳ３０１〜Ｓ３０６は，図１０に示すステップＳ２０１〜Ｓ２０６と同様の処理である。また，図１２に示すステップＳ３０９，Ｓ３１０は，図１０に示すステップＳ２０８，Ｓ２０９と同様の処理である。
【００６３】
第４の形態の画像形成装置では，制御部６０は，特別休止状態になったのち（Ｓ３０５），稼働状態表示部５３を赤色に点灯させる（Ｓ３０６）。これにより，ユーザーに対して結露抑制機能が働いていることを報知する。続いて，制御部６０は，計時部により結露抑制モードに移行してからの経過時間を取得する（Ｓ３０７）。さらにステップＳ３０７では，制御部６０は，ＲＯＭ（記憶部）７６に記憶されている経過時間光量テーブル７７を参照し，取得した経過時間に対応付けられた光量をセットする。
【００６４】
その後，表示制御部６３がＬＣＤパネル３３への表示データをセットする（Ｓ３０８）。この実施形態では第３の形態と同様，表示データは，黒一面画像をＬＣＤパネル３３に表示するためのデータとなっている。ステップＳ３０８ではさらに，光量制御部６４が，ステップＳ３０７でセットされた光量にしたがって，バックライト３６を点灯させる際の光量を調整する（バックライト３６の輝度を設定する）。そして，バックライト制御部６２が，光量制御部６４により設定された輝度でバックライト３６を点灯する。これにより，ＬＣＤパネル３３の表示画面３４に，黒一面画像が，設定された光量で表示される。以降副電源ＳＷ６７がオンされるまで（Ｓ３０９），制御部６０は，これらの処理を繰り返す。
【００６５】
ここで，経過時間光量テーブル７７は，経過時間が増えるほど，バックライト３６の光量が増大するように，すなわちバックライト３６の輝度が増大するように，経過時間と光量とが対応付けられている。したがって，光量制御部６４は，ユーザーが副電源ＳＷ６７をオフした直後ではなく，深夜，明け方と画像形成装置１の設置場所の温度が低くなるにつれて，バックライト３６の光量を増大させる。よって第４の形態では，ユーザーが副電源ＳＷ６７をオフした直後から最大の光量でバックライト３６を点灯させ続ける場合に比べて消費電力を抑えることができる。なお，時間経過に伴うバックライト３６の光量増加は，予め定められた光量に達した時点で停止され，以後，到達した光量のままバックライト３６が点灯されることが望ましい。無制限に光量を増加させることは消費電力の抑制に反するからである。また，日の出を迎えると画像形成装置１の設置場所の温度は徐々に上昇することを考慮して，時間経過に伴ってバックライトの光量が増加し，その後一定となり，その後は減少するように構成してもよい。この場合，経過時間光量テーブルにおいて，経過時間の増大に伴ってバックライトの光量が増大→一定→減少と遷移するように，経過時間と光量とを対応付ける。これによれば，ユーザーが副電源ＳＷ６７をオフした直後の消費電力だけでなく，日の出以降の消費電力も抑制することができる。
【００６６】
なお，第４の形態では，経過時間光量テーブル７７に基づいてバックライト３６の光量を制御する構成としたが，計時部によって取得される経過時間に応じて，バックライト３６の通電の有無を制御するようにしてもよい。経過時間と通電態様の関係としては，ユーザーが副電源ＳＷ６７をオフした直後ではなく結露が生じ始める時間帯になってから，バックライト３６が通電されることが望ましい。そのために，経過時間と通電態様との関係を定めたプログラムをあらかじめＲＯＭ（記憶部）７６に記憶しておき，メインＣＰＵ６１がこれを実行するよう構成する。このように構成すれば，結露抑制に必要な時間だけバックライト３６を通電し点灯させることができるので，消費電力を抑えることができる。なお，副電源ＳＷ６７をオフにしてから何時間後にバックライト３６を通電するかは，ユーザーが入力操作部３０の操作により任意に設定できるよう構成してもよい。
【００６７】
また，第４の形態では，特別休止状態に設定されてからの経過時間とバックライト３６の光量とを関係付けた経過時間光量テーブル７７に従ってバックライト３６の光量を制御する構成とした。これに対して，ＲＴＣ７４から得られる現在時刻とバックライト３６の光量とを関係付けた現在時刻光量テーブル７９に従ってバックライト３６の光量を制御する構成としてもよい。この場合，図１１に示すように，経過時間光量テーブル７７の代わりに現在時刻光量テーブル７９がＲＯＭ（記憶部）７６に記憶される。現在時刻光量テーブル７９では，時期（季節）ごとの時刻に対する気温の変化が考慮されて，時刻と光量とが対応付けられている。例えば，温度が低くなる午前０時になると中程度の光量でバックライト３６を点灯させはじめ，さらに温度が低くなる午前３時になるとバックライト３６の光量を増大させ，温度が上昇する午前７時になるとバックライト３６を消灯させるように，現在時刻と光量とが対応付けられている。このような現在時刻光量テーブル７９に従ってバックライト３６の光量を制御すれば，ユーザーが特別休止状態に移行させた時刻に関係なく，バックライト３６の光量を時刻に対して最適に調整することができる。
【００６８】
また，現在時刻光量テーブル７９に基づくことなく，計時部によって取得される現在時刻の情報に応じて，バックライト３６の通電の有無を制御するようにしてもよい。時刻と通電態様の関係としては，例えば，温度が低くなる午前０時になったときに，バックライト３６の通電が開始され，温度が上昇する午前７時になったときに，バックライト３６の通電が停止されるように構成する。そのために，時刻と通電態様との関係を定めたプログラムをあらかじめＲＯＭ（記憶部）７６に記憶しておき，メインＣＰＵ６１がこれを実行するよう構成する。このように構成すれば，ユーザーが特別休止状態に移行させた時刻に関係なく，バックライト３６への通電の有無を時刻に対して最適に調整することができる。なお，計時部は，ＲＴＣ７４の代わりに，例えば電波時計用の標準電波や現在時刻を計測する時刻サイトなどの外部から現在時刻の情報を取得するものでもよい。
【００６９】
［第５の形態］
第５の形態について説明する。本形態において第３の形態と同様の構成については同一の符号を付して説明を省略する。本形態に係る画像形成装置では，図１３に示すように，入力操作部３０は，温度計測部９０を備えている。温度計測部９０は，サーミスタを備えて構成される。なお，温度計測部９０は，温度を計測可能であれば，熱電対やバイメタルなど他の構成を採用してもよい。温度計測部９０の配置場所は，タッチパネル４０近傍である。これは，結露が生じるタッチパネル４０の周辺の機内温度を計測するためである。なお，温度計測部９０へは，電源２により電力が供給される。
【００７０】
また，メインＣＰＵ６１には，プログラムを格納したＲＯＭ（記憶部に相当する）７６とそのプログラムの実行エリアとなるＲＡＭ７５とが付設されている。ＲＯＭ７６には，温度光量テーブル７８が記憶されている。温度光量テーブル７８は，温度計測部９０により計測されたタッチパネル４０周辺の温度と，バックライト３６の光量との対応付けが示されたテーブルである。温度光量テーブル７８では，温度が低いほど，バックライト３６の光量が増大するように，すなわちバックライト３６の輝度が増大するように，温度と光量とが対応付けられている。光量制御部６４は，この温度光量テーブル７８に従ってバックライト３６の光量を調整する。これにより，ユーザーが副電源ＳＷ６７をオフしたあと，深夜，明け方と画像形成装置１の設置場所の温度が低くなるにつれて，バックライト３６の光量を増大させることができる。また，日の出から徐々に気温が上昇するにつれて，バックライト３６の光量を減少させることができる。これによれば，ユーザーが副電源ＳＷ６７をオフした直後から最大の光量でバックライト３６を点灯させ続ける場合に比べて消費電力を抑えることができる。
【００７１】
また本形態に係る画像形成装置の動作は，第４の形態において図１２に示したステップＳ３０７の処理を，図１２に示すステップＳ３１７に変更したものである。すなわち，第４の形態は，経過時間光量テーブル７７に基づいてバックライト３６の光量を調整する構成とした。これに対し，本形態においては，温度光量テーブル７８に基づいてバックライト３６の光量を調整する構成としている。
【００７２】
本形態において，特別休止状態に切り換えられた場合の画像形成装置１の動作を，図１２のフローチャートに基づいて説明する。第４の形態と同様の処理については説明を省略する。図１２に示すように，第５の形態の画像形成装置１では，制御部６０は，特別休止状態になったのち（Ｓ３０５），稼働状態表示部５３を赤色に点灯させる（Ｓ３０６）。これにより，ユーザーに対して結露抑制機能が働いていることを報知する。続いて，制御部６０は，温度計測部９０により計測された温度を取得する（Ｓ３１７）。温度計測部９０は，上述したようにタッチパネル４０近傍に配置されている。したがって，温度計測部９０により計測される温度は，結露が生じるタッチパネル４０の周辺温度である。さらにステップＳ３１７では，制御部６０は，ＲＯＭ（記憶部）７６に記憶されている温度光量テーブル７８を参照し，取得した温度に対応付けられた光量をセットする。
【００７３】
その後，表示制御部６３がＬＣＤパネル３３への表示データをセットする（Ｓ３０８）。この実施形態では第４の形態と同様，表示データは，黒一面画像をＬＣＤパネル３３に表示するためのデータとなっている。ステップＳ３０８ではさらに，光量制御部６４が，ステップＳ３１７でセットされた光量にしたがって，バックライト３６を点灯させる際の光量を調整する（バックライト３６の輝度を設定する）。そして，バックライト制御部６２が，光量制御部６４により設定された輝度でバックライト３６を点灯する。これにより，ＬＣＤパネル３３の表示画面３４に，黒一面画像が，設定された光量で表示される。以降副電源ＳＷ６７がオンされるまで（Ｓ３０９），制御部６０は，これらの処理を繰り返す。
【００７４】
ここで，温度光量テーブル７８は，温度が低いほど，バックライト３６の光量が増大するように，すなわちバックライト３６の輝度が増大するように，温度と光量とが対応付けられている。したがって，光量制御部６４は，ユーザーが副電源ＳＷ６７をオフしたあと，深夜，明け方と画像形成装置１の設置場所の温度が低くなるにつれて，バックライト３６の光量を増大させる。また，日の出から徐々に気温が上昇するにつれて，バックライト３６の光量を減少させる。よって第５の形態では，ユーザーが副電源ＳＷ６７をオフした直後から最大の光量でバックライト３６を点灯させ続ける場合に比べて消費電力を抑えることができる。
【００７５】
なお，第５の形態では，温度光量テーブル７８に基づいてバックライト３６の光量を制御する構成としたが，温度計測部９０によって取得される温度に応じて，バックライト３６の通電の有無を制御するようにしてもよい。温度と通電態様の関係としては，ユーザーが副電源ＳＷ６７をオフした直後ではなく結露が生じるおそれのある温度になってから，バックライト３６が通電されることが望ましい。そのために，温度と通電態様との関係を定めたプログラムをあらかじめＲＯＭ（記憶部）７６に記憶しておき，メインＣＰＵ６１がこれを実行するよう構成する。このように構成すれば，結露が生じるおそれのあるときだけバックライト３６を通電し点灯させることができるので，消費電力を抑えることができる。なお，タッチパネル４０周辺温度が何度以下になったときにバックライト３６を通電するかは，ユーザーが入力操作部３０の操作により任意に設定できるよう構成してもよい。
【００７６】
また，温度計測部９０とともに，湿度を計測可能な湿度計測部（湿度センサ）を備える構成としてもよい。結露が生じる露点温度は，温度と湿度との関係で決まる。そのため，温度計測部９０とともに湿度計測部を備える構成とすれば，結露の発生を確実に検出することができる。湿度計測部も，温度計測部９０と同様，タッチパネル４０の近くに配置することが望ましい。
【００７７】
以上詳細に説明したように，本発明の画像形成装置１は，制御部６０および副電源ＳＷ６７を含んで構成される稼働状態設定部と，バックライト制御部６２とを有している。そして，稼働状態設定部により特別休止状態に設定されたとき，バックライト制御部６２によりバックライト３６を通電し点灯させるようにしている。すなわち，結露抑制モードに設定できるようにしている。したがって，通常稼働状態でないときのタッチパネル４０の表面温度を向上させることができる。そのため，タッチパネル４０内部に結露が生じるのを防止することができる。その結果，液晶表示装置３２の視認性の不良やタッチパネル４０の操作性の不良の発生を抑制することができる。
【００７８】
なお，本実施の形態は単なる例示にすぎず，本発明を何ら限定するものではない。従って本発明は当然に，その要旨を逸脱しない範囲内で種々の改良，変形が可能である。例えば，第１の形態では，通常稼働状態から特別休止状態になったときに結露防止機能が発揮されるように（結露防止モードになるように），通常稼働状態においてユーザーが設定していた。そして，このように設定されていることは，画像形成装置１の内部メモリ（ＲＡＭ７５）に記憶されていた。これに対して，結露防止機能を発揮するためのスイッチ（結露抑制モードに設定するためのスイッチ。以下「モード設定スイッチ」という）を，別途設ける構成としてもよい。このモード設定スイッチは，副電源ＳＷ６７と同様，電源１の供給により動作可能となるように接続する。そして，このモード設定スイッチからの信号は，メインＣＰＵ６１に入力されるようにする。このようにすれば，結露防止機能が働いていない通常休止状態から，結露防止機能が働く特別休止状態に移行させることができる。
【００７９】
また，副電源ＳＷ６７をオフしたときに結露抑制機能が発揮される特別休止状態（結露抑制モード）にするか，結露抑制機能が発揮されない通常休止状態にするかの設定は，使用者による入力操作部３０による操作に基づいて行われるように構成したが，使用者による設定ができないよう構成してもよい。すなわち，副電源ＳＷ６７をオフしたときに必ず特別休止状態（結露抑制モード）に移行するように構成してもよい。
【００８０】
また実施形態では，バックライト制御部６２は，結露抑止機能が働く特別休止状態においてバックライト３６を点灯させたが，結露抑制のための発熱量として十分であれば，バックライト３６が点灯に至らない程度の少量の電流をバックライト３６へ通電させるだけでもよい。
【００８１】
また第１および第３〜第５実施形態では，表示画面３４を黒一面とする構成としたが，表示画面３４には任意の画像を表示することができる。すなわち，本発明は，バックライト３６の発熱によるタッチパネル４０周辺温度の低下が目的であるため，表示画面３４に表示する画像の色，形状，文字などはどのようなものであってもよい。但し，画像形成装置１の使い勝手向上のためには，結露防止機能が働いていることをユーザーへ報知できる表示とすることが望ましい。
【００８２】
また第１および第３〜第５実施形態では稼働状態表示部５３（図２参照）を赤色に点灯させて（図７のステップＳ００６参照），ユーザーに対して結露抑制機能が働く特別休止状態にあることを報知したが，結露抑制機能が働かない通常休止状態であるときは赤色，結露抑制機能が働く特別稼働状態であるときは黄色のように，通常休止状態か特別休止状態かで，稼働状態表示部５３の点灯色を異ならせることが望ましい。このように構成すれば，結露抑制機能が働くように設定していたかどうかをユーザーが忘れたときであっても，点灯色に基づいて識別できるからである。
【００８３】
また，タッチパネル４０は，抵抗膜方式のものを採用したがマトリックススイッチ方式のタッチパネルを採用してもよい。また，バックライト３６は，ＬＥＤバックライトを採用したが，発光時の熱量を高くすることを考慮して，白熱電球のバックライトを採用してもよい。
【００８４】
また，実施形態ではタンデム方式のカラープリンターである画像形成装置１を例にして説明したが，本発明は，タッチパネル４０と液晶表示装置３２とを有する入力操作部３０を備えた画像形成装置であれば，どのようなタイプの画像形成装置に対しても適用可能である。例えば，１つの感光体の周囲に各色の現像装置が設けられている，いわゆる４サイクル方式のものにも適用することができる。また例えば，インクジェット式の画像形成装置にも適用することができる。また例えば，モノクロの複写機やプリンター，ファクシミリ，またはこれらの機能を複合的に備える複合機等にも適用可能である。
【００８５】
なお，実施形態の制御部６０および副電源ＳＷ６７が，本発明の稼働状態設定部を構成する。
また，実施形態の制御部６０が，本発明のバックライト制御部６２，表示制御部６３，光量制御部６４，及び，計時部を構成する。
また，実施形態の通常稼働状態が本発明の「第１の状態」に相当し，実施形態の特別休止状態が本発明の「第２の状態」に相当する。
また，実施形態の経過時間光量テーブル７７および現在時刻光量テーブル７９が，本発明の「時間光量テーブル」に相当する。
【符号の説明】
【００８６】
１…画像形成装置
２…画像形成部
３０…入力操作部
３２…液晶表示装置
３３…液晶パネル
３４…表示画面
３６…バックライト
４０…タッチパネル
４１…フィルム
４２…フィルムの抵抗膜（上導電層）
４４…ガラス
４５…ガラスの抵抗膜（下導電層）
６０…制御部
６２…バックライト制御部
６３…表示制御部
６４…光量制御部
６７…副電源ＳＷ
６８…継電部（第１リレー）
７６…記憶部（ＲＯＭ）
８０…電源部
９０…温度計測部
【図１】
2013186327.tif 000003
【図２】
2013186327.tif 000004
【図３】
2013186327.tif 000005
【図４】
2013186327.tif 000006
【図５】
2013186327.tif 000007
【図６】
2013186327.tif 000008
【図７】
2013186327.tif 000009
【図８】
2013186327.tif 000010
【図９】
2013186327.tif 000011
【図１０】
2013186327.tif 000012
【図１１】
2013186327.tif 000013
【図１２】
2013186327.tif 000014
【図１３】
2013186327.tif 000015